(57)【特許請求の範囲】
【請求項１】
設定対象の目盛を付した表示板と、設定つまみによって任意の位置に回動操作されて前記表示板に対して位置保持される設定指針と、該設定指針を回動駆動する駆動手段とを備え、前記設定指針を、前記設定つまみの内方に配置されるように前記設定つまみに一体形成したことを特徴とするアナログ設定表示器。
【請求項２】
前記設定指針は、前記設定つまみにヒンジを介して一体形成されていることを特徴とする請求項１に記載のアナログ設定表示器。
【請求項３】
前記設定つまみの裏面側に、前記駆動手段を構成する駆動軸を軸承する突状軸受け部を形成し、該突状軸受け部に前記設定指針を一体に形成したことを特徴とする請求項１又は２に記載のアナログ設定表示器。
【請求項４】
前記突状軸受け部に、前記駆動軸を一体的に回動可能に装着した際に、前記設定指針を前記設定つまみと前記駆動軸とにより挟着固定したことを特徴とする請求項３に記載のアナログ設定表示器。
【請求項５】
前記設定つまみの外周部を構成する側壁部に、前記設定指針を、該設定指針が前記設定つまみの内方に配置されるように一体形成したことを特徴とする請求項１に記載のアナログ設定表示器。
【請求項６】
前記設定指針は、前記側壁部にヒンジを介して一体形成されていることを特徴とする請求項５に記載のアナログ設定表示器。
【請求項７】
前記設定つまみの裏面側に、前記駆動手段を構成する駆動軸を軸承する突状軸受け部を形成し、該突状軸受け部に、前記駆動軸を一体的に回動可能に装着した際に、前記設定指針を前記設定つまみと前記駆動軸とにより挟着固定したことを特徴とする請求項６に記載のアナログ設定表示器。
【発明の詳細な説明】
【技術分野】
【０００１】
本発明は、設定指針構造を改良したアナログ設定表示器に関する。
【背景技術】
【０００２】
従来の設定表示器としては、設定対象の目盛を付した表示手段と、設定つまみによって任意の位置に回動操作されて表示手段に対して位置保持される設定指針と、該設定指針と同軸心で回動可能に支持されると共に、設定指針に対して相対回動可能な現状表示用の可動指針と、この可動指針を回動駆動する駆動手段とを備え、可動指針が設定対象の現状に対応して駆動手段で駆動回動されるように構成したものがあり、設定指針は、設定つまみの外周部を構成する円筒形状の側壁部の縁部に、設定つまみの外に向って突設してある（特許文献１参照）。
【特許文献１】特開平５−１８２５６８号公報
【発明の開示】
【発明が解決しようとする課題】
【０００３】
ところが、特許文献１記載の設定表示器では、設定指針は、設定つまみの外周部を構成する円筒形状の側壁部の縁部に、設定つまみの外に向って突設してあるために、設定指針が設定つまみよりはみ出した状態になり、この設定指針を組付けた設定表示器は、設定指針が設定つまみよりはみ出した分大きくしなければならず、設定表示器の小型化ができないという課題がある。
【０００４】
本発明はかかる事情に鑑みてなされたもので、その目的とするところは、設定指針が設定つまみの側壁部より外にはみ出すことがなく、小型化が可能になるばかりか、部品点数、組立工数が節減でき、構造の簡略化、コスト低減化を図ることができるアナログ設定表示器を提供することである。
【課題を解決するための手段】
【０００５】
上記の目的を達成するために、本発明に係るアナログ設定表示器は、設定対象の目盛を付した表示板と、設定つまみによって任意の位置に回動操作されて表示板に対して位置保持される設定指針と、該設定指針を回動駆動する駆動手段とを備え、設定指針を、設定つまみの内方に配置されるように、設定つまみに一体形成したことを特徴とする。
【０００６】
かかる構成により、設定指針は、設定つまみの内方に配置されるように、設定つまみに一体形成してあるために、設定指針が設定つまみよりはみ出すことにはならず、アナログ設定表示器の小型化が可能になるばかりか、部品点数、組立工数が節減でき、構造の簡略化、コスト低減化を図ることができる。
【０００７】
また、上記した本発明に係るアナログ設定表示器において、本発明に係るアナログ設定表示器における設定指針は、設定つまみにヒンジを介して一体形成するように構成してもよい。
【０００８】
かかる構成により、設定指針をヒンジで折曲げて、設定指針を設定つまみの内方で、且つ設定つまみの半径方向に位置させることができる。このために、アナログ設定表示器の小型化が可能になるばかりか、部品点数、組立工数が節減でき、構造の簡略化、コスト低減化を図ることができる。
【０００９】
また、上記した本発明に係るアナログ設定表示器において、本発明に係るアナログ設定表示器は、設定つまみの裏面側に、駆動手段を構成する駆動軸を軸承する突状軸受け部を形成し、該突状軸受け部に設定指針を一体に形成するように構成してもよい。
【００１０】
かかる構成により、設定指針を設定つまみの内方で、且つ設定つまみの半径方向に位置させることができる。このために、アナログ設定表示器の小型化が可能になるばかりか、部品点数、組立工数が節減でき、構造の簡略化、コスト低減化を図ることができる。
【００１１】
また、上記した本発明に係るアナログ設定表示器において、本発明に係るアナログ設定表示器は、設定つまみの突状軸受け部に、駆動軸を一体的に回動可能に装着した際に、設定指針を設定つまみと駆動軸とにより挟着固定するように構成してもよい。
【００１２】
かかる構成により、設定指針をヒンジで折曲げて、設定つまみの突状軸受け部に駆動軸を回動可能に装着した際に、設定指針を設定つまみと駆動軸とにより挟着固定することで、設定指針を設定つまみの内方で、且つ設定つまみの半径方向に位置させることができる。このために、アナログ設定表示器の小型化が可能になるばかりか、部品点数、組立工数が節減でき、構造の簡略化、コスト低減化を図ることができる。
【００１３】
また、上記した本発明に係るアナログ設定表示器において、本発明に係るアナログ設定表示器は、設定つまみの外周部を構成する側壁部に、前記設定指針を、該設定指針が設定つまみの内方に配置されるように一体形成するようにしてもよい。
【００１４】
かかる構成により、設定指針を設定つまみの内方に位置させることができる。このために、アナログ設定表示器の小型化が可能になるばかりか、部品点数、組立工数が節減でき、構造の簡略化、コスト低減化を図ることができる。
【００１５】
また、上記した本発明に係るアナログ設定表示器において、本発明に係るアナログ設定表示器における設定指針は、側壁部にヒンジを介して一体形成するように構成してもよい。
【００１６】
かかる構成により、設定指針をヒンジで折曲げて、設定指針を設定つまみの内方で、且つ設定つまみの半径方向に位置させることができる。このために、アナログ設定表示器の小型化が可能になるばかりか、部品点数、組立工数が節減でき、構造の簡略化、コスト低減化を図ることができる。
【００１７】
また、上記した本発明に係るアナログ設定表示器において、本発明に係るアナログ設定表示器は、設定つまみの裏面側に、駆動手段を構成する駆動軸を軸承する突状軸受け部を形成し、該突状軸受け部に、駆動軸を一体的に回動可能に装着した際に、設定指針を設定つまみと駆動軸とにより挟着固定するように構成してもよい。
【００１８】
かかる構成により、設定指針をヒンジで折曲げて、設定つまみの突状軸受け部に、駆動軸を回動可能に装着した際に、設定指針を設定つまみと駆動軸とにより挟着固定することで、設定指針を設定つまみの内方で、且つ設定つまみの半径方向に位置させることができる。このために、アナログ設定表示器の小型化が可能になるばかりか、部品点数、組立工数が節減でき、構造の簡略化、コスト低減化を図ることができる。
【発明の効果】
【００１９】
本発明のアナログ設定表示器によれば、設定指針は、設定つまみの内方に配置されるように、設定つまみに一体形成してあるために、設定指針が設定つまみよりはみ出すことにはならず、アナログ設定表示器の小型化が可能になるばかりか、部品点数、組立工数が節減でき、構造の簡略化、コスト低減化を図ることができる。
【発明を実施するための最良の形態】
【００２０】
以下、本発明のアナログ設定表示器を添付図面に従って説明する。
【００２１】
（実施の形態１）
本発明のアナログ設定表示器の実施の形態１を、図１乃至図１２に基づいて説明する。
【００２２】
図１は本発明の実施の形態１に係るアナログ設定表示器の斜視図、図２は同アナログ設定表示器の分解状態の一部省略断面図、図３は同アナログ設定表示器の内部ユニットの斜視図である。
【００２３】
図１及び図２に示すように、アナログ設定表示器は、箱型の本体ケース１と、限時時間を選択的に調整する設定つまみ２と、設定指針３と、表面に目盛４ａを有し且つ適所に表示窓４ｂを設けた表示板４と、レンジ設定操作で設定される限時時間に対応して表示板４の表示窓４ｂから順次露出する複数の数字を表面に表記した文字板５と、内部ユニット６を備えている。そして、この内部ユニット６は、設定つまみ２の軸部となる駆動軸２０を挿通した歯車ボックス７と、レンジ設定操作に運動して文字板５を偏心駆動する歯車機構８と、設定指針３を回動駆動する駆動手段（図示せず）を備えている。
【００２４】
図５に示すように、設定つまみ２は、円盤形状の前面部２Ａの周縁部に、外周部を構成する円筒形状の側壁部２Ｂを形成していて、前面部２Ａの中央には凹部からなる固定ねじ挿入部１２が設けてあり、この固定ねじ挿入部１２の底部にはねじ挿入孔１３が形成してある。また、固定ねじ挿入部１２には蓋係止部１２ａが形成してある。
【００２５】
また、図６に示すように、前面部２Ａの裏面の中央には円筒形状の突状軸受け部１０が突設してある。この突状軸受け部１０の端面部１０ａには、駆動手段の一部を構成する駆動軸２０を軸承する四角形状の凹部からなる軸承部１１が形成してあり、この軸承部１１に、この軸承部１１の軸線方向に係合凹部１１ａが形成してある。そして、軸承部１１の底壁部１１ｂにねじ挿入孔１３が貫通している。
【００２６】
そして、図９及び図１０に示すように、突状軸受け部１０の端面部１０ａには、ヒンジ１４を介して設定指針３が一体形成してある。すなわち、この設定指針３は、幅広い指針基部３Ａに指針部３Ｂを形成したものであり、この指針基部３Ａには四角形状の駆動軸挿入孔部１５が設けてあり、この駆動軸挿入孔部１５の先側縁部に係合溝部１５ａが形成してある。そして、設定指針３は、指針基部３Ａの端縁部３ａで板形状のヒンジ１４を介して突状軸受け部１０の端面部１０ａの周縁部に連ねてある。
【００２７】
設定つまみ２とヒンジ１４と設定指針３とは硬質樹脂材料と軟質樹脂材料を二色一体成形により作成してある。すなわち、設定つまみ２と設定指針３は硬質樹脂材料が用いられ、ヒンジ１４の部分は軟質樹脂材料が用いられている。
【００２８】
そして、図３に示すように、内部ユニット６は、その前面側において、歯車ボックス７に、歯車機構８と、この歯車機構８を歯車ボックス７と共に保持する歯車保持プレート９とを組み込んでいる。そして、図２に示すように、歯車ボックス７は、その中央部に円筒状突部２１を備えており、この円筒状突部２１の中心孔２２に駆動軸２０が貫通している。
【００２９】
そして、歯車保持プレート９の前方には文字板５が配置してあり、この文字板５は歯車ボックス７  により偏心回動可能に保持されている。また、歯車ボックス７には、文字板５と重なり合うようにして表示板４が配置してあり、図１に示すように、この表示板４は歯車ボックス７の前面周縁部に設けた表示板嵌合部１６に嵌合している。この場合、駆動軸２０は文字板５の中心孔５ａ及び表示板４の中心孔４ｃを貫通して前方に突出している。
【００３０】
図４に示すように、駆動軸２０の先部は四角柱状の嵌合突部２０Ａにしてあり、この嵌合突部２０Ａの形成により、嵌合突部２０Ａの基部には、駆動軸２０の主部２０Ｂとの間に周方向に複数の平坦部２０Ｃが形成してあり、これらの平坦部２０Ｃが指針押圧部Ｐを構成している。また、嵌合突部２０Ａには、この嵌合突部２０Ａの軸線方向に沿う係合突起２０Ｄが設けてあるし、また、嵌合突部２０Ａの端面には駆動軸２０の軸線に沿うねじ孔２３が形成してある。
【００３１】
そして、図１１及び図１２に示すように、設定指針３をヒンジ１４で折曲げて、この設定指針３の指針基部３Ａを設定つまみ２の突状軸受け部１０の端面部１０ａに沿わせて、駆動軸挿入孔部１５を突状軸受け部１０の軸承部１１に一致させる。この状態では、設定指針３の指針部３Ｂは設定つまみ２の内方であって、この設定つまみ２の半径方向に位置することになる。
【００３２】
次に、設定指針３の指針基部３Ａに設けた駆動軸挿入孔部１５と設定つまみ２の軸承部１１に、駆動軸２０の嵌合突部２０Ａ（図４参照）を嵌合して、駆動軸挿入孔部１５の係合溝部１５ａと係合凹部１１ａに図４に示す嵌合突部２０Ａの係合突起２０Ｄを嵌合することで、設定つまみ２を駆動軸２０に組付ける。
【００３３】
次に、設定つまみ２の前面部２Ａの固定ねじ挿入部１２に固定ねじ１８を挿入して、この固定ねじ１８をねじ挿入孔１３から駆動軸２０のねじ孔２３（図４参照）に螺合して、この固定ねじ１８を締付けて設定つまみ２を駆動軸２０に固定すると共に、設定つまみ２の突状軸受け部１０の端面部１０ａと、駆動軸２０の指針押圧部Ｐとで設定指針３の指針基部３Ａを挟み付けて、設定指針３を、その指針部３Ｂが設定つまみ２の半径方向に位置する状態で固定する。次に、固定ねじ挿入部１２に図２に示す蓋体１９を嵌め、蓋体１９の係止片１９ａを蓋係止部１２ａに係止する。
【００３４】
以上説明したように、本発明の実施の形態１によれば、設定指針３をヒンジ１４の部分で折曲げて設定指針３の指針部３Ｂを設定つまみ２の半径方向に位置させ、設定指針３の駆動軸挿入孔部１５と設定つまみ２の軸承部１１に、駆動軸２０の嵌合突部２０Ａを嵌合して設定つまみ２を駆動軸２０に組付け、固定ねじ挿入部１２に固定ねじ１８を挿入して、この固定ねじ１８を締付けて設定つまみ２を駆動軸２０に固定すると共に、設定つまみ２の突状軸受け部１０の端面部１０ａと駆動軸２０の指針押圧部Ｐとで設定指針３の指針基部３Ａを挟み付けて固定して、設定指針３を、設定つまみ２の内方で、且つ設定つまみ２の半径方向に位置させることができる。このために、アナログ設定表示器の小型化が可能になるばかりか、部品点数、組立工数が節減でき、構造の簡略化、コスト低減化を図ることができる。
【００３５】
（実施の形態２）
次に、本発明に係るアナログ設定表示器の実施の形態２を図１３及び図１４に基づいて説明する。
【００３６】
本発明の実施の形態２では、設定つまみ２の外周部を構成する側壁部２Ｂの内面側に、設定指針３−１の基部がヒンジ１４−１を介して一体形成して設けてある。すなわち、この設定指針３−１の指針基部３Ａ−１には、上記した本発明の実施の形態１の場合と同様な四角形状の駆動軸挿入孔部１５が設けてある。そして、設定指針３−１は、指針基部３Ａ−１の端縁部３ａで板形状のヒンジ１４−１を介して側壁部２Ｂの周縁部に連ねてある。
【００３７】
そして、図１３及び図１４に示すように、設定指針３−１をヒンジ１４−１で折曲げて、この設定指針３の指針基部３Ａ−１を設定つまみ２の突状軸受け部１０の端面部１０ａに沿わせて、駆動軸挿入孔部１５を突状軸受け部１０の軸承部１１に一致させる。この状態では、設定指針３−１の指針部３Ｂ−１は設定つまみ２の内方であって、この設定つまみ２の半径方向に位置することになる。
【００３８】
次に、設定指針３−１の駆動軸挿入孔部１５と設定つまみ２の軸承部１１に、駆動軸２０の嵌合突部２０Ａを嵌合して、駆動軸挿入孔部１５の係合溝部１５ａと係合凹部１１ａに嵌合突部２０Ａの係合突起２０Ｄを嵌合することで、設定つまみ２を駆動軸２０に取付ける。
【００３９】
次に、上記した本発明の実施の形態１の場合と同様にして、設定つまみ２の前面部２Ａの固定ねじ挿入部１２に固定ねじ１８を挿入して、この固定ねじ１８をねじ挿入孔１３から駆動軸２０のねじ孔２３に螺合して、この固定ねじ１８を締付けて設定つまみ２を駆動軸２０に固定すると共に、設定つまみ２の突状軸受け部１０の端面部１０ａと、駆動軸２０の指針押圧部Ｐとで設定指針３の指針基部３Ａを挟み付けて、設定指針３を、その指針部３Ｂが設定つまみ２の半径方向に位置する状態で固定する。
【００４０】
以上説明したように，本発明の実施の形態２によれば、設定指針３−１を設定つまみ２の内方で、且つ設定つまみ２の半径方向に位置させることができるために、アナログ設定表示器の小型化が可能になるばかりか、部品点数、組立工数が節減でき、構造の簡略化、コスト低減化を図ることができる。
【産業上の利用可能性】
【００４１】
本発明のアナログ設定表示器は、設定指針は、設定つまみの内方に対向するように配置されるように、設定つまみに一体形成してあるために、設定指針が設定つまみよりはみ出すことにはならず、アナログ設定表示器の小型化が可能になるばかりか、部品点数、組立工数が節減でき、構造の簡略化、コスト低減化を図ることができるという効果を有しており、設定表示器等、タイマに有効である。
【図面の簡単な説明】
【００４２】
【図１】本発明の実施の形態１に係るアナログ設定表示器の斜視図である。
【図２】同アナログ設定表示器の分解状態の一部省略断面図である。
【図３】同アナログ設定表示器の内部ユニットの斜視図である。
【図４】駆動軸の斜視図である。
【図５】設定つまみの前面図である。
【図６】同設定つまみの裏面図である。
【図７】同設定つまみの側面図である。
【図８】同設定つまみの平面図である。
【図９】同設定つまみを裏側から視た斜視図である。
【図１０】図９のＡ部の拡大図である。
【図１１】設定指針をヒンジの部分で折曲げた状態の斜視図である。
【図１２】図１１のＢ部の拡大図である。
【図１３】本発明の実施の形態２に係るアナログ設定表示器における設定指針をヒンジの部分で折曲げた状態の斜視図である。
【図１４】図１３のＣ部の拡大図である。
【符号の説明】
【００４３】
１      本体ケース
２      設定つまみ
２Ｂ    側壁部
３      設定指針
３Ａ    指針基部
３Ｂ    指針部
３−１  設定指針
４      表示板
１０    突状軸受け部
１０ａ  端面部
１１    軸承部
１２    固定ねじ挿入部
１４    ヒンジ
１４−１  ヒンジ
１５  駆動軸挿入孔部
１８    固定ねじ
２０    駆動軸（駆動手段）
２０Ａ  嵌合突部
２０Ｂ  嵌合部（Ｐ  指針押圧部）
【図１】
0005045511.tif 000002
【図２】
0005045511.tif 000003
【図３】
0005045511.tif 000004
【図４】
0005045511.tif 000005
【図５】
0005045511.tif 000006
【図６】
0005045511.tif 000007
【図７】
0005045511.tif 000008
【図８】
0005045511.tif 000009
【図９】
0005045511.tif 000010
【図１０】
0005045511.tif 000011
【図１１】
0005045511.tif 000012
【図１２】
0005045511.tif 000013
【図１３】
0005045511.tif 000014
【図１４】
0005045511.tif 000015